(57)【特許請求の範囲】
【請求項１】
平滑化処理及び諧調変換処理を含むダイナミックレンジの変更処理を原画像データに施す画像処理装置であって、
画素値範囲及び強度に基づく第１のダイナミックレンジの変更処理を、原画像データから得られた画像データに施す第１の画像処理手段と、
前記第１の画像処理手段での処理後画像を表示する表示手段と、
前記表示手段で処理後画像を表示した後に、画素値範囲、強度、決定入力のいずれかを入力する入力手段と、
前記画素値範囲、前記強度のいずれかが前記入力手段から入力された場合に、入力された前記画素値範囲、前記強度のいずれかに基づく前記第１のダイナミックレンジの変更処理を原画像データに再度施す様に第１の画像処理手段を制御する制御手段と、
前記決定入力が前記入力手段から入力された場合に、前記第１の画像処理手段で用いた前記画素値範囲及び前記強度に基づいて、第２のダイナミックレンジの変更処理を前記原画像データに施す第２の画像処理手段とを備え、
第１のダイナミックレンジの変更処理は前記画像に対して諧調変換処理のみを行うことを特徴とする画像処理装置。
【請求項２】
前記ダイナミックレンジの変更処理は、階調変換関数Ｆ１（）、階調変換率ｃ（ｘ，ｙ）、処理後画像の画素値ｆｄ（ｘ，ｙ）、原画像データの画素値ｆ１（ｘ，ｙ）、原画像データの平滑化（低周波）画像データの画素値fus（ｘ、ｙ）、及び画像データ上の座標（ｘ，ｙ）を以って、下式
【数１０】
0003780179.tif 000011
で表されることを特徴とする請求項１に記載の画像処理装置。
【請求項３】
前記原画像の平滑化（低周波）画像データの画素値fus（ｘ、ｙ）は、マスクサイズｄ１、ｄ２、ｄ３、ｄ４を以って、下式
【数１１】
0003780179.tif 000012
で表されることを特徴とする請求項２に記載の画像処理装置。
【請求項４】
前記原画像に対し前記平滑化処理を行う場合に用いる画素の範囲は、マスクサイズｄ１、ｄ２、ｄ３、ｄ４で定まることを特徴とする請求項３に記載の画像処理装置。
【請求項５】
前記画素値範囲は、前記階調変換関数Ｆ１（）の曲線形の傾きが変わる画素起点で定まり、前記強度は、前記階調変換関数Ｆ１（）の曲線形の傾きで定まることを特徴とする請求項２に記載の画像処理装置。
【請求項６】
前記第１の画像処理手段は、諧調処理のみを施すことを特徴とする請求項１に記載の画像処理装置。
【請求項７】
前記第１の画像処理手段は、原画像の縮小画像、原画像のいずれかに対して前記第１のダイナミックレンジの変更処理を施すことを特徴とする請求項１〜６のいずれか１項に記載の画像処理装置。
【請求項８】
原画像データは、放射線撮影により得られた画像データを含むことを特徴とする請求項１に記載の画像処理装置。
【請求項９】
複数の機器が互いに通信可能に接続されてなる画像処理システムであって、
前記複数の機器のうち少なくとも１つの機器は、請求項１〜８のいずれか１項に記載の画像処理装置の機能を有することを特徴とする画像処理システム。
【請求項１０】
平滑化処理及び諧調変換処理を含むダイナミックレンジの変更処理を原画像データに施す画像処理方法であって、
画素値範囲及び強度に基づく第１のダイナミックレンジの変更処理を、原画像データから得られた画像データに施す工程と、
前記第１の画像処理工程での処理後画像を表示する工程と、
前記表示工程で処理後画像を表示した後に、画素値範囲、強度、決定入力のいずれかを入力する工程と、
前記画素値範囲、前記強度のいずれかが入力された場合に、入力された前記画素値範囲、前記強度のいずれかに基づき前記第１のダイナミックレンジの変更処理を原画像データに再度施す工程と、
前記決定入力が入力された場合に、前記第１の画像処理工程で用いた前記画素値範囲及び前記強度に基づいて、第２のダイナミックレンジの変更処理を前記原画像データに施す工程とを備え、
第１のダイナミックレンジの変更処理は前記画像に対して諧調変換処理のみを行うことを特徴とする画像処理方法。
【請求項１１】
平滑化処理及び諧調変換処理を含むダイナミックレンジの変更処理を原画像データに施す画像処理を実行するためのプログラムであって、
画素値範囲及び強度に基づく第１のダイナミックレンジの変更処理を、原画像データから得られた画像データに施す処理と、
前記第１の画像処理処理での処理後画像を表示する処理と、
前記表示処理で処理後画像を表示した後に、画素値範囲、強度、決定入力のいずれかを入力する処理と、
前記画素値範囲、前記強度のいずれかが入力された場合に、入力された前記画素値範囲、前記強度のいずれかに基づき前記第１のダイナミックレンジの変更処理を原画像データに再度施す処理と、
前記決定入力が入力された場合に、前記第１の画像処理処理で用いた前記画素値範囲及び前記強度に基づいて、第２のダイナミックレンジの変更処理を前記原画像データに施す処理とをコンピュータに実行させ、
第１のダイナミックレンジの変更処理は前記原画像に対して諧調変換処理のみを行うことを特徴とするプログラム。
【請求項１２】
請求項１１に記載のプログラムを記憶したことを特徴とするコンピュータ読み取り可能な記憶媒体。
【請求項１３】
平滑化処理を含むダイナミックレンジの変更処理を原画像データに施す画像処理方法であって、
画素値範囲及び強度に基づく第１のダイナミックレンジの変更処理を、原画像データに施す工程と、
前記第１の画像処理工程での処理後画像を表示する工程と、
前記表示工程で処理後画像を表示した後に、画素値範囲、強度、決定入力のいずれかを入力する工程と、
前記画素値範囲、前記強度のいずれかが入力された場合に、入力された前記画素値範囲、前記強度のいずれかに基づき前記第１のダイナミックレンジの変更処理を原画像データに再度施す工程と、
前記決定入力が入力された場合に、前記第１の画像処理工程で用いた前記画素値範囲及び前記強度に基づいて、第２のダイナミックレンジの変更処理を前記原画像データに施す工程とを備え、
第２のダイナミックレンジの変更処理と比較して第１のダイナミックレンジの変更処理の方が、前記原画像に対し前記平滑化処理を行う場合に用いる画素の範囲が狭いことを特徴とする画像処理方法。
【発明の詳細な説明】
【０００１】
【発明の属する技術分野】
本発明は、例えば、Ｘ線等の放射線撮影により得られた画像に対して、当該画像のダイナミックレンジの変更処理を施す装置或いはシステムに用いられる、画像処理装置、画像処理システム、画像処理方法、それを実施するためのプログラムを記憶したコンピュータ読出可能な記憶媒体、及び当該プログラムに関するものである。
【０００２】
【従来の技術】
近年では、ディジタル技術の進歩により、例えば、Ｘ線等に代表される放射線撮影により得られた画像（放射線画像）をディジタル化することで、当該放射線画像のディジタル画像データを取得し、当該ディジタル画像データに画像処理を施し、当該画像処理後のディジタル画像データを、ＣＲＴ等の表示部或いはフィルムへ出力することが行われている。
尚、ここでは、ディジタル画像データを構成する値を「画素値」とも言う。
【０００３】
上記の画像処理としては、階調変換処理が挙げられる。ここでの階調変換処理とは、放射線画像を表示部或いはフィルムへ出力した場合に、当該放射線画像の濃度を観察しやすい濃度とするために、当該放射線画像の濃度を変換する処理である。
【０００４】
また、他の画像処理としては、表示部或いはフィルムへの出力に適した放射線画像とするための、ダイナミックレンジ変更処理が挙げられる。
【０００５】
ここで、処理対象の放射線画像が、例えば、胸部をＸ線撮影して得られた画像（胸部画像）である場合、当該胸部画像は、Ｘ線が透過しやすい肺野の領域、及びＸ線が非常に透過しにくい縦隔部の領域から構成されるため、画素値の存在する濃度レンジが非常に広い。このため、このような胸部画像へダイナミックレンジ変更処理を施したとしても、肺野及び縦隔部の両方の領域の画像を同時に観察することが可能な処理後画像を得ることは困難であった。
【０００６】
そこで、上記の問題を回避するダイナミック変更方法として、例えば、「ＳＰＩＥ Ｖｏｌ．６２６  Ｍｅｄｉｃｉｎｅ  ＸＩＶ／ＰＡＣＳＩＶ（１９８６）」等に記載された方法（以下、「第１の方法」とも言う）がある。
【０００７】
第１の方法は、処理後の画素値ＳD、処理対象の画像（オリジナル画像、以下、「入力画像」とも言う）の画素値（オリジナル画素値、以下、「入力画素値」とも言う）Ｓorg、オリジナル画像の低周波画像の画素値ＳUS、及び定数Ａ，Ｂ，Ｃ（例えば、Ａ＝３、Ｂ＝０．７）を以って、
【０００８】
【数１】
0003780179.tif 000002
【０００９】
なる式（１）で表わされる。
【００１０】
第１の方法では、上記式（１）において、第１項の定数Ａを変えることで、高周波成分の重み付けを変えることが可能であると共に、第２項の定数Ｂを変えることで、低周波成分の重み付けを変えることが可能である。例えば、定数Ａ＝３、定数Ｂ＝０．７とした場合、高周波成分を強調し、且つ画像全体のダイナミックレンジを圧縮する効果が得られる。
【００１１】
尚、第１の方法については、例えば、５人の放射線医から、処理無し画像と比較して画像診断に有効な画像が得られる、という評価が得られている。
【００１２】
また、他のダイナミック変更方法としては、例えば、第２５０９５０３特許公報等に記載された方法（以下、「第２の方法」とも言う）がある。
【００１３】
第２の方法は、処理後の画素値ＳD、オリジナル画素値Ｓorg、オリジナル画像のＹ方向プロファイルの平均プロファイルＰｙ、及びＸ方向プロファイルの平均プロファイルＰｘを以って、
【００１４】
【数２】
0003780179.tif 000003
【００１５】
なる式（２）で表わされる。
【００１６】
上記式（２）において、関数Ｆ（ｘ）が有する特性について説明すると、まず、「ｘ＞Ｄth」では、Ｆ（０）が“０”となる。また、「０≦ｘ≦Ｄth」では、Ｆ（ｘ）が、切片を“Ｅ”、傾きを“Ｅ／Ｄth”として単調減少するものとなり、
【００１７】
【数３】
0003780179.tif 000004
【００１８】
なる式（３）〜式（５）で表わされる。
【００１９】
上記式（４）及び式（５）において、“ｉ”は、“１〜ｎ”の範囲の値をとる。また、“Ｐｘｉ”及び“Ｐｙｉ”はそれぞれ、Ｘ方向及びＹ方向のプロファイルを示し、
【００２０】
【数４】
0003780179.tif 000005
【００２１】
なる式（６）で表わされる。
【００２２】
第２の方法では、低周波画像の画素値で“Ｄth”以下の濃度レンジが圧縮される。
【００２３】
また、第２の方法と同様な方法として、例えば、「日本放射線技術学会雑誌、第４５巻第８号１９８９年８月 １０３０頁、阿南ほか」や、第２６６３１８９特許公報等に記載された方法（以下、「第３の方法」とも言う）がある。
【００２４】
第３の方法は、処理後の画素値ＳD、オリジナル画素値Ｓorg、オリジナル画像をマスクサイズＭ×Ｍ画素で移動平均をとった時の平均画素値ＳUS、及び単調減少関数ｆ（Ｘ）を以って、
【００２５】
【数５】
0003780179.tif 000006
【００２６】
なる式（７）及び式（８）で表わされる。
【００２７】
ここで、第３の方法は、上記式（２）で表わされる第２の方法に対して、低周波画像の作成方法が異なる。すなわち、第２の方法では、上記式（２）式に示されるように、１次元データで低周波画像を作成する構成に対して、第３の方法では、２次元データで低周波画像を作成するようになされている。
【００２８】
また、第３の方法は、低周波画像を変換する関数ｆ１（）、及び定数Ａを以って、
【００２９】
【数６】
0003780179.tif 000007
【００３０】
なる式（９）によっても表わされる。
【００３１】
第３の方法においても、第２の方法と同様に、低周波画像の画素値で“Ｄth”以下の濃度レンジが圧縮される。
【００３２】
また、他のダイナミック変更方法としては、例えば、特開平１０−２７２２８３号等に記載された方法（以下、「第４の方法」とも言う）がある。
【００３３】
第４の方法は、階調変換関数Ｆ１（）、階調変換率ｃ（ｘ、ｙ）、処理後の画像の画素値ｆｄ（ｘ、ｙ）、第１の画像の画素値ｆ０（ｘ、ｙ）、第２の画像の画素値ｆ１（ｘ、ｙ）、第２の画像の平滑化（低周波）画像の画素値ｆus（ｘ、ｙ）、及び画像上の座標（ｘ，ｙ）を以って、
【００３４】
【数７】
0003780179.tif 000008
【００３５】
なる式（１０）で表わされる。
【００３６】
第４の方法は、オ−バーシュート等の抑制が容易であり、階調変換曲線との組み合わせなどが容易である等の効果を有する。
【００３７】
第１〜第４の方法によるダイナミックレンジ変更処理（ダイナミック圧縮処理）等の画像処理を実行する画像処理装置或いはシステムとしては、例えば、画像処理後の画像を表示するように構成されたものがある。また、これと同時に、ユーザが当該表示画像を確認しながら画像処理パラメータを調整可能なように構成されたものもある。
【００３８】
【発明が解決しようとする課題】
しかしながら、上述したような従来の画像処理方法では、例えば、従来のダイナミックレンジ変更処理では、処理対象の画像から低周波画像（平滑化画像）を作成する処理が必要であった。この処理は長い処理時間を要するため、例えば、処理後画像を表示する構成の場合、処理後画像を表示するまでに時間がかかる問題があった。また、処理後画像を表示すると共に、当該表示画像を確認しながら処理パラメータが調整可能な構成である場合にも、処理後画像を表示するまでに時間がかかってしまうことにより、これに伴い処理パラメータの調整処理にも時間がかかる問題があった。
したがって、従来では、ダイナミックレンジ変更処理等の画像処理を効率的に行なうことが困難であった。
【００３９】
そこで、本発明は、上記の欠点を除去するために成されたもので、ダイナミックレンジ変更処理等の画像処理を効率的に行なえる、画像処理装置、画像処理システム、画像処理方法、それを実施するためのプログラムを記憶したコンピュータ読出可能な記憶媒体、及び当該プログラムを提供することを目的とする。
【００４０】
【課題を解決するための手段】
斯かる目的下において、本発明による画像処理方法について記せば、本発明の画像処理方法は、平滑化処理を含むダイナミックレンジの変更処理を原画像データに施す画像処理方法であって、画素値範囲及び強度に基づく第１のダイナミックレンジの変更処理を、原画像データに施す工程と、前記第１の画像処理工程での処理後画像を表示する工程と、前記表示工程で処理後画像を表示した後に、画素値範囲、強度、決定入力のいずれかを入力する工程と、前記画素値範囲、前記強度のいずれかが入力された場合に、入力された前記画素値範囲、前記強度のいずれかに基づき前記第１のダイナミックレンジの変更処理を原画像データに再度施す工程と、前記決定入力が入力された場合に、前記第１の画像処理工程で用いた前記画素値範囲及び前記強度に基づいて、第２のダイナミックレンジの変更処理を前記原画像データに施す工程とを備え、第２のダイナミックレンジの変更処理と比較して第１のダイナミックレンジの変更処理の方が、前記原画像に対し前記平滑化処理を行う場合に用いる画素の範囲が狭いことを特徴とする。
また、本発明の別の画像処理方法は、平滑化処理を含むダイナミックレンジの変更処理を原画像データに施す画像処理方法であって、画素値範囲及び強度に基づく第１のダイナミックレンジの変更処理を、原画像データに施す工程と、前記第１の画像処理工程での処理後画像を表示する工程と、前記表示工程で処理後画像を表示した後に、画素値範囲、強度、決定入力のいずれかを入力する工程と、前記画素値範囲、前記強度のいずれかが入力された場合に、入力された前記画素値範囲、前記強度のいずれかに基づき前記第１のダイナミックレンジの変更処理を原画像データに再度施す工程と、前記決定入力が入力された場合に、前記第１の画像処理工程で用いた前記画素値範囲及び前記強度に基づいて、第２のダイナミックレンジの変更処理を前記原画像データに施す工程とを備え、第２のダイナミックレンジの変更処理と比較して第１のダイナミックレンジの変更処理の方が、前記原画像に対し前記平滑化処理を行う場合に用いる画素の範囲が狭いことを特徴とする。
【００６０】
【発明の実施の形態】
以下、本発明の実施の形態について図面を用いて説明する。
【００６１】
本発明は、例えば、図１に示すようなＸ線撮影装置１００に適用される。
本実施の形態のＸ線撮影装置１００は、ダイナミックレンジ変更処理等の画像処理機能を有し、上記図１に示すように、Ｘ線を発生するＸ線発生回路１０１と、被写体１０３を透過したＸ線光が結像される２次元Ｘ線センサ１０４と、２次元Ｘ線センサ１０４から出力される撮像画像（Ｘ線画像）を収集するデータ収集回路１０５と、データ収集回路１０５にて収集されたＸ線画像に対して前処理を施す前処理回路１０６と、前処理回路１０６での処理後画像（原画像）等の各種情報や各種処理実行のための処理プログラムを記憶するメインメモリ１０９と、Ｘ線撮影実行等の指示や各種設定を本装置１００に対して行うための操作パネル１１０と、前処理回路１０６での処理後画像（原画像）に対して画像処理を施す画像処理回路１１１と、本装置１００全体の動作制御を司るＣＰＵ１０８とを備えており、データ収集回路１０５、前処理回路１０６、画像処理回路１１１、ＣＰＵ１０８、メインメモリ１０９、及び操作パネル１１０はそれぞれ、ＣＰＵバス１０７を介して互いにデータ授受できるように構成されてている。
【００６２】
特に、画像処理回路１１１は、第１の画像処理回路１１２、第２の画像処理回路１１３、入力回路１１４、及び表示器１１５を備えている。
【００６３】
第１の画像処理回路１１２は、原画像（入力画像）に対して、表示用の画像処理（略式の画像処理）を施す。
表示器１１５は、第１の画像処理回路１１２での処理後画像等を表示する。
入力回路１１４は、表示器１１５での表示画像を観察するユーザからの指示に基づいて、画像のパラメータを変更のための新たなパラメータ入力等を行なう。
第２の画像処理回路１１３は、入力回路１１４による入力データに基づいて、原画像（入力画像）に対して画像処理（本処理の画像処理）を施すことで、最終的にユーザが所望する画像を取得する。
【００６４】
すなわち本実施の形態では、特に、第１の画像処理回路１１２での画像処理（略式の画像処理）の処理負荷（第１の処理負荷）を、第２の画像処理回路１１２での画像処理（本式の画像処理）の処理負荷（第２の処理負荷）よりも小さいものとしている。
【００６５】
図２は、上記図１のＸ線撮影装置１００の動作をフローチャートにより示したものである。
例えば、メインメモリ１０９は、ＣＰＵ１０８での各種処理実行に必要なデータや処理プログラム等を予め記憶する。また、メインメモリ１０９は、ＣＰＵ１０８の作業用メモリ（ワークメモリ）としても使用される。ここでは、メインメモリ１０９に記憶される処理プログラム、特に、画像処理プログラムとして、上記図２のフローチャートに従った処理プログラムを用いる。
したがって、ＣＰＵ１０８は、メインメモリ１０９から、上記図２のフローチャートに従った処理プログラムを読み出して実行する。これにより、Ｘ線撮影装置１００は、次のように動作する。
【００６６】
ステップＳ２００：
先ず、Ｘ線発生回路１０１は、被写体（被検査体）１０３に対してＸ線ビーム１０２を放射する。
Ｘ線発生回路１０１から放射されたＸ線ビーム１０２は、被検査体１０３を減衰しながら透過して、２次元Ｘ線センサ１０４に到達し、２次元Ｘ線センサ１０４からＸ線画像として出力される。
ここでは、２次元Ｘ線センサ１０４から出力されるＸ線画像を、例えば、人体部等の画像とする。
【００６７】
次に、データ収集回路１０５は、２次元Ｘ線センサ１０４から出力されたＸ線画像を電気信号に変換し、これを前処理回路１０６に供給する。
前処理回路１０６は、データ収集回路１０５からの信号（Ｘ線画像信号）に対して、オフセット補正処理やゲイン補正処理等の前処理を施す。
前処理回路１０６での処理後画像信号は入力画像（原画像）の情報として、ＣＰＵ１０８の制御によりＣＰＵバス１０７を介して、メインメモリ１０９及び画像処理回路１１１にそれぞれ転送される。
【００６８】
ステップＳ２０１：
画像処理回路１１１において、第１の画像処理回路１１２は、ＣＰＵ１０８の制御により転送されてきた原画像ｆ（ｘ、ｙ）に対して、表示用の画像処理、例えば、階調変換関数Ｆ１（）、階調変換率ｃ（ｘ，ｙ）、処理後画像の画素値ｆｄ（ｘ，ｙ），原画像の画素値ｆ１（ｘ，ｙ）、原画像の平滑化（低周波）画像の画素値fus（ｘ、ｙ）、及び画像上の座標（ｘ，ｙ）を以って、
【００６９】
【数８】
0003780179.tif 000009
【００７０】
なる式（１１）で表される、前処理的なダイナミックレンジ変更処理を施す。
【００７１】
上記式（１１）において、原画像の平滑化（低周波）画像の画素値fus（ｘ、ｙ）は、マスクサイズｄ１を以って、
【００７２】
【数９】
0003780179.tif 000010
【００７３】
なる式（１２）で表される。
【００７４】
ステップＳ２０２：
第１の画像処理回路１１２は、ステップＳ２０１の処理後画像に対して、階調変換処理を施す。
ステップＳ２０３：
表示器１１５は、第１の画像処理回路１１２の処理後画像を表示する。
【００７５】
図３は、表示器１１５での表示画面３００の一例を示したものである。
上記図３において、“３０１”は、原画像の処理後画像である。“３０２”〜“３０４”は、後述する入力回路１１４から入力されるパラメータを示す図表である。具体的には例えば、“３０２”は、ダイナミックレンジを変更する画素値を示すものであり、“３０３”は、ダイナミックレンジを変更する強さ（強度）を示すものであり、“３０４”は、画像処理を行なう速度を示ものである。
“３０５”は、本処理（第２の画像処理回路１１３での本式の画像処理）を実行させるためのスタートボタンである。したがって、ユーザは、表示器１１５での表示画面３００により、所望する画像が得られたと判断した場合に、スタートボタン３０５を、例えば、マウスでクリック操作することで、第２の画像処理回路１１３での本式の画像処理を実行開始させることができる。
【００７６】
ステップＳ２０４、ステップＳ２１０：
ユーザは、表示器１１５の表示画面３００を参照し、対象画像が所望する画像状態であるか否か等を判断し（ステップＳ２０４）、必要に応じて、画面３００上の“３０２”〜“３０４”で示される各種パラメータを変更する（ステップＳ２１０）。
【００７７】
ＣＰＵ１０８は、ユーザからの操作により、パラメータ変更の操作がなされた場合、当該操作指示に基づいて、該当するパラメータの変更処理を実行する。
【００７８】
具体的には例えば、“３０２”で示される「ダイナミックレンジを変更する画素値」に関する変更指示がなされた場合、上記式（１１）における階調変換関数Ｆ１（）の曲線形を変更する。特に、この変更の場合、当該曲線の傾きが変わる画素起点を変更する。また、“３０３”で示される「ダイナミックレンジを変更する強さ（強度）」に関する変更指示がなされた場合も、上記式（１１）における階調変換関数Ｆ１（）の曲線形を変更するが、この変更の場合、当該曲線の傾きを変更する。これらの変更により、ダイナミックレンジを変更する範囲及び強度が変更されることになる。
また、“３０４”で示される「画像処理を行なう速度」に関する変更指示がなされた場合、上記式（１２）におけるマスクサイズｄ１（平滑化画像を作成するためのマスクサイズ）を変更する。これにより、処理時間が調整されることになる。
【００７９】
ここで、マスクサイズｄ１が“０”の場合、階調変換処理のみが実行されることになり、より処理時間の短縮を図れる。すなわち、処理時間を最大に短縮することができる。
【００８０】
一般的にダイナミックレンジ変更処理（ダイナミック圧縮処理）では、ダイナミックレンジを変更する範囲及び変更する度合い（強度）の調整が重要であり、これらのパラメータを調整するためには、画像全体の画素値の変化が認識できればよいので、マスクサイズｄ１に対して、上述のような変更処理を行なうようにしても問題はない。すなわち、マスクサイズｄ１を“０”として、階調変換処理のみを行なうようにしても問題はない。
【００８１】
また、“３０４”により、マスクサイズを調整することで、計算速度を調整できるとともに、本処理（予め決められているマスクサイズ）での画像を確認することも可能である。すなわち、マスクサイズを調整することで処理時間の短縮が行なえるが、これに限られず、マスクサイズとして、予め決められているマスクサイズを用いるようにしてもよい。
【００８２】
上述のようなパラメータ変更処理が実行された場合には、再びステップＳ２０１へ戻り、以降のステップ処理を繰り返し実行する。そして、ユーザから、満足する画像が得られたことが指示された場合に、次のステップＳ２０５からの処理を実行する。
【００８３】
ステップＳ２０５：
第２の画像処理回路１１３は、ステップＳ２０４までの処理におけるパラメータ（ユーザから必要に応じて変更されたパラメータ）から得られパラメータに基づいて、原画像に対して、上記式（１１）及び式（１２）により示されるダイナミックレンジ変更処理を施す。
【００８４】
具体的には例えば、第２の画像処理回路１１３は、ステップＳ２０４までの処理で得られたマスクサイズｄ１に基づいて、ここでのダイナミックレンジ変更処理で使用するスクサイズｄ２を、「ｄ２＞ｄ１」なる関係を満たすように決定する。
【００８５】
また、第２の画像処理回路１１３は、ダイナミックレンジを変更する範囲及び強度については、ステップＳ２０４までの処理で得られたパラメータ（ユーザから必要に応じて変更されたパラメータ）をそのまま、ここでのダイナミックレンジ変更処理で使用するパラメータとして決定する。
【００８６】
尚、撮影処理中（ステップＳ２０４までの処理中）では、ユーザが画像の成否を確認する必要があるため、その表示処理を短時間で実行する必要があるが、最終的に画像を、例えば、フイルム上に出力する場合、ここでの処理対象の画像（ステップＳ２０５からの処理の対象となる画像）は、既に画像の成否を確認済みの画像であるため、上記の表示処理に用いる時間よりも処理時間が長くても問題ない。
【００８７】
ステップＳ２０６：
第２の画像処理回路１１３は、ステップＳ２０５の処理後画像に対して、階調変換処理を施す。
ステップＳ２０７：
表示器１１５は、第２の画像処理回路１１３の処理後画像を表示する。
【００８８】
ステップＳ２０８：
ＣＰＵ１０８は、必要に応じて、第２の画像処理回路１１３の処理後画像をフィルム等へのプリントアウト処理を実行する。
【００８９】
上述のように、本実施の形態では、第１の画像処理回路１１２により、ユーザの確認用（表示用）の画像取得のために、前処理的な画像処理を実行するように構成したので、ユーザは、画像処理の成否を短時間で確認することができると共に、必要に応じた処理パラメータの変更を容易に行なうことができる。また、画像処理としてのダイナミックレンジ変更処理において使用するマスクサイズｄ１（画像平滑化処理のパラメータ）をも容易に変更することができるため、処理時間を任意に変更することができる。
【００９０】
尚、本実施の形態において、例えば、第１の画像処理回路１１２での処理対象の画像として、原画像の縮小画像を用いるようにしてもよい。この場合、前処理的なダイナミックレンジ変更処理理との相乗効果により、処理時間を、より短縮することができる。
【００９１】
また、本発明の目的は、本実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が本実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、本実施の形態の機能が実現されるだけでなく、そのプログラムコードの指示に基づき、コンピュータ上で稼動しているＯＳ等が実際の処理の一部又は全部を行い、その処理によって本実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって本実施の形態の機能が実現される場合も含まれることは言うまでもない。
【００９２】
図４は、上記コンピュータの機能６００を示したものである。
コンピュータ機能６００は、上記図９に示すように、ＣＰＵ６０１と、ＲＯＭ６０２と、ＲＡＭ６０３と、キーボード（ＫＢ）６０９のキーボードコントローラ（ＫＢＣ）６０５と、表示部としてのＣＲＴディスプレイ（ＣＲＴ）６１０のＣＲＴコントローラ（ＣＲＴＣ）６０６と、ハードディスク（ＨＤ）６１１及びフレキシブルディスク（ＦＤ）６１２のディスクコントローラ（ＤＫＣ）６０７と、ネットワーク６２０との接続のためのネットワークインターフェースコントローラ（ＮＩＣ）６０８とが、システムバス６０４を介して互いに通信可能に接続された構成としている。
【００９３】
ＣＰＵ６０１は、ＲＯＭ６０２或いはＨＤ６１１に記憶されたソフトウェア、或いはＦＤ６１２より供給されるソフトウェアを実行することで、システムバス６０４に接続された各構成部を総括的に制御する。
すなわち、ＣＰＵ６０１は、所定の処理シーケンスに従った処理プログラムを、ＲＯＭ６０２、或いはＨＤ６１１、或いはＦＤ６１２から読み出して実行することで、本実施の形態での動作を実現するための制御を行う。
【００９４】
ＲＡＭ６０３は、ＣＰＵ６０１の主メモリ或いはワークエリア等として機能する。
ＫＢＣ６０５は、ＫＢ６０９や図示していないポインティングデバイス等からの指示入力を制御する。
ＣＲＴＣ６０６は、ＣＲＴ６１０の表示を制御する。
ＤＫＣ６０７は、ブートプログラム、種々のアプリケーション、編集ファイル、ユーザファイル、ネットワーク管理プログラム、及び本実施の形態における所定の処理プログラム等を記憶するＨＤ６１１及びＦＤ６１２とのアクセスを制御する。
ＮＩＣ６０８は、ネットワーク６２０上の装置或いはシステムと双方向にデータをやりとりする。
【００９５】
【発明の効果】
以上説明したように本発明では、ダイナミックレンジの変更処理を原画像データに施すに際して、画素値範囲及び強度に基づく第１のダイナミックレンジの変更処理を原画像データから得られた画像データに施し、当該画像処理後の画像を表示する。そして、画素値範囲、強度といったパラメータが入力された場合は、第１のダイナミックレンジの変更処理を原画像データに再度施す様にし、決定入力が入力された場合は、第２のダイナミックレンジの変更処理を原画像データに施すことができる。このようにパラメータを変更しながら前処理的なダイナミックレンジ変更処理を行い、その後本処理のダイナミックレンジ変更処理を行うことができるので、ユーザの画像確認等のための表示処理を短時間で行うことができ、ユーザは、効率よく、画像処理の結果を確認することができる。特に、パラメータを調整する前処理的なダイナミックレンジ変更処理時に、原画像に対し平滑化処理を行う場合に用いる画素の範囲を、本処理のダイナミックレンジ変更処理時よりも狭くすることで、計算時間を短縮することが可能になる。
【図面の簡単な説明】
【図１】本発明を適用したＸ線撮影装置の構成を示すブロック図である。
【図２】上記Ｘ線撮影装置の動作を説明するためのフローチャートである。
【図３】上記Ｘ線撮影装置の表示器の表示画面の一例を説明するための図である。
【図４】上記Ｘ線撮影装置の機能をコンピュータに実現させるためのプログラムをコンピュータ読出可能な記憶媒体から読み出して実行する当該コンピュータの構成を示すブロック図である。
【符号の説明】
１００  Ｘ線撮影装置
１０１  Ｘ線発生回路
１０２  Ｘ線ビーム
１０３  被写体
１０４  ２次元Ｘ線センサ
１０５  データ収集回路
１０６  前処理回路
１０７  ＣＰＵバス
１０８  ＣＰＵ
１０９  メインメモリ
１１０  操作パネル
１１１  画像処理回路
１１２  第１の画像処理回路
１１３  第２の画像処理回路
１１４  入力回路
１１５  表示器
【図１】
0003780179.tif 000013
【図２】
0003780179.tif 000014
【図３】
0003780179.tif 000015
【図４】
0003780179.tif 000016